(57)【要約】【課題】  電源起動時にその接続の確認が行われる主制御基板及びサブ統合基板とを備えた遊技機を提供する。【解決手段】  主制御基板４１のＣＰＵ５１は、起動時にＲＡＭ５２やＲＯＭ５３等の動作確認等の初期処理を終えた後に、第１確認コマンド、第２確認コマンド、第３確認コマンドを順次を送信する。そして、サブ統合基板５８では、起動時にＲＡＭ５８２やＲＯＭ５８３等の動作確認等の初期処理を終えた後に、第１確認コマンド、第２確認コマンド、第３確認コマンドが順に送信されてくるかの確認が行われされ、これらのコマンドを受信できなかった場合には、主制御基板４１と正常に接続できていないと判断し、音基板４３へ異常メッセージを出力させるコマンドを送信する。そして、音基板４３では、コマンドに従いスピーカ４８から「サブ統合基板が正常に接続していません！」等の異常メッセージを発生させる。【選択図】  図４
2005074178.tif 000002
【特許請求の範囲】
【請求項１】
遊技機の制御を司る主制御基板と、当該主制御基板からの指示に従い、音声の制御を行う音基板、電飾部材の制御を行う電飾基板、遊技球の払出の制御を行う払出基板、画面の制御を行う図柄表示基板のうちの少なくとも１つに対して指示を与えるサブ統合基板と、前記主制御基板から前記サブ統合基板への信号を送信するための複数の電線で構成されるハーネスとを備えた遊技機であって、
前記主制御基板は、
前記サブ統合基板へ前記ハーネスを介して信号を送信する信号送信手段を備え、
前記サブ統合基板は、
前記信号送信手段から送信される前記信号を受信する信号受信手段と、
当該信号受信手段が予め定められた所定の確認信号を受信した場合には正常と判断し、受信しない場合には異常と判断する判断手段と、
当該判断手段の判断結果の報知を行う報知手段と、
当該報知手段で行われる前記判断結果の報知の制御を行う報知制御手段と
を備えたことを特徴とする遊技機。
【請求項２】
前記サブ統合基板は、前記判断手段が異常と判断した後に、前記主制御基板から送信された、当該サブ統合基板への指示を示す指示信号を、前記信号受信手段が受信しても、前記指示信号を破棄する指示信号破棄手段を備えたことを特徴とする請求項１に記載の遊技機。
【請求項３】
前記サブ統合基板は、前記判断手段の判断結果を記憶する判断結果記憶手段を備えたことを特徴とする請求項１又は２に記載の遊技機。
【請求項４】
前記サブ統合基板は、前記判断結果記憶手段に正常と記憶されている場合に、前記確認信号を前記信号受信手段が受信した際には、受信した前記確認信号を破棄する確認信号破棄手段を備えたことを特徴とする請求項３に記載の遊技機。
【請求項５】
前記サブ統合基板は、前記判断手段による判断が行われておらず、前記判断結果記憶手段に判断結果が記憶されていない場合に、前記指示信号を前記信号受信手段がした際には、前記判断結果記憶手段に正常を記憶する正常記憶手段を備えたことを特徴とする請求項３又は４に記載の遊技機。
【請求項６】
前記確認信号は、前記ハーネスを構成する各電線が示す１ビットのビットデータの集合である第１確認信号、及び、前記第１確認信号の反転信号である第２確認信号を少なくとも含むことを特徴とする請求項１乃至５のいずれかに記載の遊技機。
【請求項７】
前記報知手段はスピーカであることを特徴とする請求項１乃至６のいずれかに記載の遊技機。
【発明の詳細な説明】
【技術分野】
【０００１】
本発明は主制御基板及びサブ統合基板とを備えた遊技機に関する。
【背景技術】
【０００２】
従来、パチンコ機等の遊技機では、その制御を行うためにその機能に合わせた種々の基板が備えられている。そして、主制御基板が、当たりの抽選といった遊技機の主たる制御を行い、スピーカから音を発生させる音基板や、各種ランプ等の電飾を発光させる電飾基板や、画面の表示の制御を行う図柄表示基板や、遊技球の払出しを行う払出制御基板や、各種部材を動作させるソレノイド等へ信号を伝える中継基板にコマンド（信号）を送信することにより制御を行っている。その中で、主制御基板が与える指示に、よりバリエーションの豊富な演出を加え、さらに主制御基板の負担を軽減するために、サブ統合基板を設け、主制御基板からサブ統合基板へコマンドを送信し、そのコマンドに基づいてサブ統合基板がさらに細かく詳しいコマンドを音基板や電飾基板や図柄表示基板に対して送信しているものもある。
【０００３】
そこで、主制御基板とサブ統合基板との接続が、ケーブル（電線）の切断や接触不良等により正常になされていない場合には、サブ統合基板が正しいコマンドを認識できず、サブ統合基板からさらに音基板や電飾基板や図柄表示基板へ出力されるコマンドは正常なコマンドとならない。よって、遊技機は正常に動作しない。そこで、ケーブルの切断や接触不良を発見するために、遊技機出荷時のメーカーの担当者や遊技場係員は、遊技機の背面を目視して点検を行っていた。また、遊技機が異常な動作を行っていることが発見され、その原因を追究して初めてケーブルの不具合が発見されることもある。
【特許文献１】なし
【発明の開示】
【発明が解決しようとする課題】
【０００４】
しかしながら、１台１台遊技機の背面を目視して点検を行うことは大変手間がかかる。さらに、目視では全ての切断や接触不良を発見できるわけではないという問題点がある。また、遊技機が異常な動作を行うことは、遊技者が楽しんでいる遊技を中断させてしまい、遊技者に迷惑をかけ、さらに遊技者に対して遊技機に対する不信感を抱かせてしまうという問題点がある。
【０００５】
本発明は、上記課題を解決するためになされたものであり、主制御基板とサブ統合基板とを接続するハーネスの接続確認が行われる遊技機を提供することを目的とする。
【課題を解決するための手段】
【０００６】
上記課題を解決するため、請求項１に記載の遊技機は、遊技機の制御を司る主制御基板と、当該主制御基板からの指示に従い、音声の制御を行う音基板、電飾部材の制御を行う電飾基板、遊技球の払出の制御を行う払出基板、画面の制御を行う図柄表示基板のうちの少なくとも１つに対して指示を与えるサブ統合基板と、前記主制御基板から前記サブ統合基板への信号を送信するための複数の電線で構成されるハーネスとを備えた遊技機であって、前記主制御基板は、前記サブ統合基板へ前記ハーネスを介して信号を送信する信号送信手段を備え、前記サブ統合基板は、前記信号送信手段から送信される前記信号を受信する信号受信手段と、当該信号受信手段が予め定められた所定の確認信号を受信した場合には正常と判断し、受信しない場合には異常と判断する判断手段と、当該判断手段の判断結果の報知を行う報知手段と、当該報知手段で行われる前記判断結果の報知の制御を行う報知制御手段とを備えている。
【０００７】
また、請求項２に係る発明の遊技機では、請求項１に記載の発明の構成に加えて、前記サブ統合基板は、前記判断手段が異常と判断した後に、前記主制御基板から送信された、当該サブ統合基板への指示を示す指示信号を、前記信号受信手段が受信しても、前記指示信号を破棄する指示信号破棄手段を備えたことを特徴とする構成となっている。
【０００８】
また、請求項３に係る発明の遊技機では、請求項１又は２に記載の発明の構成に加えて、前記サブ統合基板は、前記判断手段の判断結果を記憶する判断結果記憶手段を備えたことを特徴とする構成となっている。
【０００９】
また、請求項４に係る発明の遊技機では、請求項３に記載の発明の構成に加えて、前記サブ統合基板は、前記判断結果記憶手段に正常と記憶されている場合に、前記確認信号を前記信号受信手段が受信した際には、受信した前記確認信号を破棄する確認信号破棄手段を備えたことを特徴とする構成となっている。
【００１０】
また、請求項５に係る発明の遊技機では、請求項３又は４に記載の発明の構成に加えて、前記サブ統合基板は、前記判断手段による判断が行われておらず、前記判断結果記憶手段に判断結果が記憶されていない場合に、前記指示信号を前記信号受信手段がした際には、前記判断結果記憶手段に正常を記憶する正常記憶手段を備えたことを特徴とする構成となっている。
【００１１】
また、請求項６に係る発明の遊技機では、請求項１乃至５のいずれかに記載の発明の構成に加えて、前記確認信号は、前記ハーネスを構成する各電線が示す１ビットのビットデータの集合である第１確認信号、及び、前記第１確認信号の反転信号である第２確認信号を少なくとも含むことを特徴とする構成となっている。
【００１２】
また、請求項７に係る発明の遊技機では、請求項１乃至６のいずれかに記載の発明の構成に加えて、前記報知手段はスピーカが用いられる。
【発明の効果】
【００１３】
請求項１に係る発明の遊技機では、主制御基板の信号送信手段は、サブ統合基板へハーネスを介して信号を送信することができる。そして、サブ統合基板の信号受信手段は、信号送信手段から送信される信号を受信し、判断手段は、信号受信手段が予め定められた所定の確認信号を受信した場合には正常と判断し、受信しない場合には異常と判断し、報知手段は、判断手段の判断結果の報知を行い、報知制御手段は、報知手段で行われる判断結果の報知の制御を行うことができる。したがって、主制御基板とサブ統合基板との接続の状況を判断し、報知することができるので、異常である場合に、その異常のために遊技機の動作に障害が生じるより先に接続の異常を簡単に知ることができる。
【００１４】
また、請求項２に係る発明の遊技機では、請求項１に記載の発明の効果に加えて、サブ統合基板の指示信号破棄手段は、判断手段が異常と判断した後に、主制御基板から送信された、サブ統合基板への指示を示す指示信号を、信号受信手段が受信しても、指示信号を破棄することができる。したがって、主制御基板とサブ統合基板との接続が異常である場合に、遊技機の動作を進行させたり、主制御基板から送信された指示信号を誤って解釈して指示と異なる動作をさせたりすることがない。
【００１５】
また、請求項３に係る発明の遊技機では、請求項１又は２に記載の発明の効果に加えて、サブ統合基板の判断結果記憶手段は、判断手段の判断結果を記憶することができる。したがって、判断手段の判断結果を記憶しておくことができるので、判断が行われたか否かを後に判断することができる。また、判断結果に基づいてなんらかの処理を行うことができる。
【００１６】
また、請求項４に係る発明の遊技機では、請求項３に記載の発明の効果に加えて、サブ統合基板の確認信号破棄手段は、判断結果記憶手段に正常と記憶されている場合に、確認信号を信号受信手段が受信した際には、受信した確認信号を破棄することができる。したがって、主制御基板とサブ統合基板との接続が正常であることが判明しているにもかかわらず、確認信号を受信しても、判断処理を行ってしまうという無駄がない。
【００１７】
また、請求項５に係る発明の遊技機では、請求項３又は４に記載の発明の効果に加えて、サブ統合基板の正常記憶手段は、判断手段による判断が行われておらず、判断結果記憶手段に判断結果が記憶されていない場合に、指示信号を信号受信手段がした際には、判断結果記憶手段に正常を記憶することができる。したがって、判断手段で確認信号による接続の判断が成されていなくても、接続が正常であれば正常と記憶されるので、実際には接続が正常であるのにも係わらず、正常な場合の処理が行われないというような不具合が発生しない。
【００１８】
また、請求項６に係る発明の遊技機では、請求項１乃至５のいずれかに記載の発明の効果に加えて、確認信号は、ハーネスを構成する各電線が示す１ビットのビットデータの集合である第１確認信号、及び、第１確認信号の反転信号である第２確認信号を少なくとも含むように構成することができる。たとえば、１本の電線が示すビットデータが「１」であった場合には、「１」を表現していると判断できるが、「０」であった場合には、「０」を表現してるのか、それとも、電線が切断されているために「０」となっているのかの判断が付かない。しかしながら、「１」及び「０」で表現されるビットデータの集まりである第１確認信号とその反転信号である第２確認信号とで判断が行われるので、ある電線が示すビットデータが第１確認信号で「０」であり、判断が付かなかったとしても、第２確認信号では「０」の反転信号である「１」となっているので、判断することができる。
【００１９】
また、請求項７に係る発明の遊技機では、請求項１乃至５のいずれかに記載の発明の効果に加えて、報知手段はスピーカを用いることができる。したがって、音声により判断結果を報知することができる。
【発明を実施するための最良の形態】
【００２０】
以下、本発明に係る遊技機であるパチンコ機１について、図面を参照して説明する。まず、図１及び図２を参照して、本実施の形態におけるパチンコ機１について説明する。図１は、パチンコ機１の正面図であり、図２はパチンコ機１の背面図であり、図３は、センターカバー９０に保護されて設置されている基板の配置図である。
【００２１】
図１に示すように、パチンコ機１の正面の上半分の部分には、発射ハンドル７の操作により図示外の発射機から発射された遊技媒体としての遊技球が流下する遊技盤２が設けられている。この遊技盤２は略正方形であり、透明なガラス板を保持したガラス枠１３で保護されている。遊技盤２の下方部には、発射機に遊技球を供給し、かつ賞品球を受ける上皿５が設けられている。そして、上皿５の直下には、賞品球を受ける下皿６が設けられ、下皿６の右横には遊技球の発射を調整する発射ハンドル７が設けられている。さらに、上皿５と下皿６との間にはスピーカ４８がそれぞれ設けられている。
【００２２】
また、遊技盤２の前面にはガイドレール（図示外）で囲まれた略円形の遊技領域４が設けられている。この遊技領域４の略中央には、ＬＣＤから構成された特別図柄表示画面２８や普通図柄表示部２４、各種ランプ、ＬＥＤを備えた特別図柄表示装置８が設けられている。この特別図柄表示装置８の左右上方には電飾風車９，１０がそれぞれ設けられている。また、特別図柄表示装置８の左側方には普通図柄始動ゲート１２が設けられている。また、特別図柄表示装置８の下側には特別図柄始動電動役物１５が設けられている。そして、その特別図柄始動電動役物１５の下方に、大入賞口１６が設けられている。そして、特別図柄始動電動役物１５の左右には普通入賞口１９，２０がそれぞれ設けられており、大入賞口１６の左右にも普通入賞口１７，１８がそれぞれ設けられている。
【００２３】
また、特別図柄表示装置８の上部には、７セグメントＬＥＤから構成される普通図柄表示部２４が設けられている。この普通図柄表示部２４には、１桁の数字や１文字のアルファベット等の図柄を表示できるようになっている。また、特別図柄表示装置８の特別図柄表示画面２８の上部には４個のＬＥＤから成る特別図柄記憶数表示ＬＥＤ６０が設けられている。この特別図柄記憶数表示ＬＥＤ６０には、特別図柄始動電動役物１５に入賞し、特別図柄表示画面２８に大当たり判定の結果がまだ表示されていない遊技球の個数、いわゆる特別図柄作動保留球数を４個まで、ＬＥＤの点灯で表示することができるようになっている。さらに、普通図柄表示部２４の下方に設けられた４個のＬＥＤから成る普通図柄記憶数表示ＬＥＤ５９は、普通図柄始動ゲート１２に入賞し、普通図柄表示部２４に普通当たりの判定の結果がまだ表示されていない遊技球の個数、いわゆる普通図柄作動保留球数を、特別図柄作動保留球数同様４個まで、ＬＥＤの点灯で表示することができる。尚、遊技盤２には、上記以外に、種々の電飾ランプ６３（図４参照）、その他の電飾用のＬＥＤ６２（図４参照）、風車及び多数の障害釘等が設けられている。
【００２４】
次に、特別図柄表示画面２８に表示される画面について説明する。特別図柄表示画面２８には、左から、特別図柄表示部Ｌ１，特別図柄表示部Ｌ３，特別図柄表示部Ｌ２の順に、３つの特別図柄表示部が横一列に配置されている。この特別図柄表示部Ｌ１〜Ｌ３には、後述する特別図柄が上から下方向にスクロールするように変動表示され、特別図柄表示部Ｌ１、特別図柄表示部Ｌ２、特別図柄表示部Ｌ３の順に停止するようになっている。尚、この特別図柄表示部Ｌ１〜Ｌ３の配置、停止表示させる順序、スクロールの方向などは任意に変更できる。また、特別図柄表示画面２８上には、特別図柄表示部Ｌ１〜Ｌ３の背景に画像やメッセージ等も表示されるようになっている。さらに、特別図柄表示部Ｌ１〜Ｌ３には特別図柄が常に表示されているわけではなく、これらの表示に代えて画像やメッセージ等を表示できるようになっている。
【００２５】
次に、図２を参照して、パチンコ機１の背面の構造について説明する。図２に示すように、パチンコ機１の左下部背面には、パチンコ機１の主制御を司る主制御基板４１を収納した透明な樹脂製の主制御基板ボックス９１が設けられ、主制御基板ボックス９１の右隣には音基板４３が、音基板４３の右隣上方には電源基板４２がそれぞれ透明な樹脂製のボックスに収められ、その下方には払出制御基板４５が透明な樹脂製の払出制御基板ボックス９２に収められて配置されている。さらに、主制御基板ボックス９１の上方には、遊技盤の裏面及び裏面に配置されている基板を保護し、各種配線を覆うセンターカバー９０が配置さている。尚、主制御基板ボックス９１の上部には、主制御基板４１が他の基板に接続するためのハーネスを差し込むコネクタが備えられている。図２では、主制御基板ボックス９１の上部の中央に、サブ統合基板５８（図３、図４参照）と接続するためのハーネス８０（図５参照）を差し込むコネクタ８６が備えられている。
【００２６】
次に、図３を参照して、センターカバー９０に保護されて設置されている基板について説明する。これらの基板は遊技盤２（図１参照）の背面に設置されている。遊技盤２の表面に設置されている特別図柄表示装置８の裏面には図柄表示基板４４が設置されており、その下部には中継基板４７が設置されており、図柄表示基板４４の左にはサブ統合基板５８が設置されている。また、サブ統合基板５８の下部には、サブ統合基板５８が他の基板に接続するためのハーネスを差し込むコネクタが備えられている。図３では、サブ統合基板５８の１番左端に、主制御基板４１（図２、図４参照）と接続するためのハーネス８０を差し込むコネクタ８７が備えられている。
【００２７】
次に、本実施の形態のパチンコ機１の電気的構成について、図４を参照して説明する。図４は、パチンコ機１の電気的回路構成を示すブロック図である。図４に示すように、パチンコ機１の制御部４０は、主制御基板４１、電源基板４２、音基板４３、図柄表示基板４４、払出制御基板４５、電飾基板４６、中継基板４７及びサブ統合基板５８から構成されている。
【００２８】
パチンコ機１の主制御を司る主制御基板４１には、プログラムにしたがって各種の処理を行うＣＰＵユニット５０が設けられている。このＣＰＵユニット５０には、各種の演算処理を行うＣＰＵ５１と、フラグやカウンタ等の演算処理中に発生するデータの値等を一時的に記憶するＲＡＭ５２と、制御プログラム、各種データの初期値、他の基板への指示を行うコマンド等を記憶したＲＯＭ５３とが設けられており、これらは一つのＬＳＩとして一体にモールディングされている。また、ＣＰＵユニット５０には割込信号発生回路５７が接続され、この割込信号発生回路５７は、例えば、０．００２秒（以下、「２ｍｓ」と略す。）毎にＣＰＵ５１に割込信号を与えるようになっている。ＣＰＵ５１は、この割込信号が入力される毎にＲＯＭ５３に記憶されている制御プログラムを実行し、この制御プログラムにしたがってパチンコ機１の制御を行う。
【００２９】
また、主制御基板４１にはＩ／Ｏインタフェイス５４が設けられており、サブ統合基板５８、払出制御基板４５、中継基板４７等のサブ基板と接続している。さらに、サブ統合基板５８は、音基板４３、図柄表示基板４４及び電飾基板４６と接続している。尚、各基板は図５に示すような、ケーブルを束ねたハーネス（束）で接続されている。図５に示す例は、主制御基板４１のＩ／Ｏインタフェイス５４とサブ統合基板５８とを接続しているハーネス８０の概観図である。
【００３０】
また、サブ統合基板５８にはＣＰＵ５８１、ＲＡＭ５８２及びＲＯＭ５８３が設けられている。そして、音基板４３にはＣＰＵ４３ａや図示外の入力インタフェイス、ＲＡＭ及びＲＯＭが内蔵されており、図柄表示基板４４にはＣＰＵ４４ａや図示外の入力インタフェイス、ＲＡＭ及びＲＯＭが内蔵されている。さらに、払出制御基板４５にはＣＰＵ４５ａや図示外の入力インタフェイス、ＲＡＭ及びＲＯＭが内蔵されており、電飾基板４６にはＣＰＵ４６ａや図示外の入力インタフェイス、ＲＡＭ及びＲＯＭが内蔵されている。また、主制御基板４１のＩ／Ｏインタフェイス５４には、図示外の遊技場管理用コンピュータにパチンコ機１の情報を出力する出力ポート５５が接続されている。
【００３１】
音基板４３にはスピーカ４８が接続され、パチンコ機１の効果音の発生を制御し、スピーカ４８から効果音を発生させる。また、図柄表示基板４４には特別図柄表示装置８及び普通図柄表示部２４が接続されており、特別図柄表示画面２８及び普通図柄表示部２４に表示される図柄や映像の制御が行われている。また、電飾基板４６には、電飾風車９，１０、４個のＬＥＤから構成された普通図柄記憶数表示ＬＥＤ５９、４個のＬＥＤから構成された特別図柄記憶数表示ＬＥＤ６０、電飾用のＬＥＤ６２、及び電飾ランプ６３が接続されており、各ＬＥＤや各電飾の発光態様の制御が行われている。そして、サブ統合基板５８は、主制御基板４１からコマンドによる指示に従い、音基板４３、図柄表示基板４４、電飾基板４６に対して、コマンドにより更に詳しい指示を与えている。
【００３２】
また、払出制御基板４５には賞品球払出装置４９が接続されており、遊技球の払出の制御が行われている。また、中継基板４７はスイッチやソレノイドの配線の中継を行っており、大入賞口１６の開閉部材を開放・閉鎖する大入賞口開放ソレノイド７０、特別図柄始動電動役物１５の開閉部材を開放・閉鎖する電動役物開放ソレノイド７１、特別図柄始動電動役物１５に入賞した遊技球を検出する始動口スイッチ７２、普通図柄始動ゲート１２に入賞した遊技球を検出する普通図柄作動スイッチ７３、大入賞口１６内のＶゾーンに入賞した遊技球を検出するＶスイッチ７４、大入賞口１６に入賞した遊技球数を計数するためのカウントスイッチ７５、普通入賞口１７，１８，１９，２０に入賞した遊技球を検出する入賞口スイッチ７６が接続されている。
【００３３】
また、電源基板４２は、主制御基板４１、音基板４３、図柄表示基板４４、払出制御基板４５、電飾基板４６及びサブ統合基板５８に各々接続し、直流の安定化した電力を供給している。尚、電源基板４２には交流２４Ｖが供給されている。電源基板４２には、図示外のシリコンダイオードブリッジからなる整流器、電解コンデンサからなる平滑回路、レギュレータＩＣからなる安定化回路等が設けられており、安定化された直流の１２Ｖ及び５Ｖ等を各基板へ供給できるようになっている。
【００３４】
このようなパチンコ機１では、遊技者が発射ハンドル７を操作することにより遊技球を遊技領域４へ発射し、遊技球が特別図柄始動電動役物１５、大入賞口１６、普通入賞口１７，１８，１９，２０に入賞すると、始動口スイッチ７２、カウントスイッチ等の各入賞口に設けられているスイッチが遊技球を検出し、中継基板４７を介して主制御基板４１へ入賞を示す信号が送信される。そして、主制御基板４１から払出制御基板４５に指示が行われ、上皿５に所定数の遊技球が払い出される。また、遊技球が特別図柄始動電動役物１５に入賞した場合には、主制御基板４１において大当たり抽選が行われ、抽選結果を報知するために、主制御基板４１からサブ統合基板５８へ、特別図柄表示画面に表示される図柄の種類や、変動パターンを示すコマンド等の種々のコマンドが送信される。そして、サブ統合基板５８では、主制御基板４１から送信されたコマンドの内容に従い、更に細かい指示を決定して、電飾基板４６には、各種ランプの点灯パターン等を指示するコマンドを、図柄表示基板４４には、図柄に表示される図柄の種類やその変動パターン等を指示するコマンドを、そして、音基板４３には、スピーカ４８で発生させる効果音の種類やタイミングを指示するコマンドを送信する。そして、各基板ではサブ統合基板５８からの指示に従い、各基板で制御している部材を動作させる。
【００３５】
このように、音基板４３、図柄表示基板４４及び電飾基板４６は、主制御基板４１から直接指示を受けるのではなく、主制御基板４１から指示を受けたサブ統合基板５８から指示を受けるので、主制御基板４１とサブ統合基板５８との接続が正常でないと、パチンコ機１の遊技に多大な影響を与えることとなる。
【００３６】
ここで、主制御基板４１とサブ統合基板５８とを接続しているハーネス８０及び主制御基板４１からサブ統合基板５８へ送信されるコマンドについて説明する。図５は、ハーネス８０の概観図である。
【００３７】
図５に示すように、ハーネス８０には、主制御基板４１のコネクタ（図示外）に差し込むためのハーネスコネクタ８１及びサブ統合基板５８のコネクタ（図示外）に差し込むためのハーネスコネクタ８２が、当該ハーネス８０を構成する１０本のケーブル８５ａ，８５ｂ，８５ｃ，８５ｄ，８５ｅ，８５ｆ，８５ｇ，８５ｈ，８５ｉ，８５ｊの束の両端に設けられている。また、ケーブル８５ａ〜８５ｊの束は、バラバラになり他のケーブルと絡まないように、ホース状のビニール８４で保護されている。
【００３８】
主制御基板４１は、これらのケーブル８５ａ〜８５ｉにかける電圧を変化させることにより０／１のビットデータを示し、サブ統合基板５８へ信号を伝えている。具体的には、ケーブル８５ａは、ストローク信号に使用され、ケーブル８５ａのビットデータが「１」を示している場合には、主制御基板４１からコマンドが送信されていることを示しており、「０」である場合には、何も送信されていないことを示している。
【００３９】
そして、ケーブル８５ｂ〜８５ｉの８本で１バイトのデータを２進数で示している。ケーブル８５ｂは２の０乗の位であり、ケーブル８５ｃは２の１乗の位であり、ケーブル８５ｄは２の２乗の位であり、ケーブル８５ｅは２の３乗の位であり、ケーブル８５ｆは２の４乗の位であり、ケーブル８５ｇは２の５乗の位であり、ケーブル８５ｈは２の６乗の位であり、ケーブル８５ｉは２の７乗の位である。例えば、ケーブル８５ｂが「０」を示し、ケーブル８５ｃが「０」を示し、ケーブル８５ｄが「０」を示し、ケーブル８５ｅが「１」を示し、ケーブル８５ｆが「１」を示し、ケーブル８５ｇが「１」を示し、ケーブル８５ｈが「１」を示し、ケーブル８５ｉが「０」を示している場合には、２進数で「０００１１１１０」となり、１０進数では「３０」、１６進数では「１Ｅ」を示している。尚、ケーブル８５ｊは、アース線として使用されている。ここで、本実施の形態では、２進数を表現する場合には、Ｂｉｎａｒｙの頭文字「Ｂ」を末尾に付け「０００１１１１０Ｂ」、１０進数を表現する場合には、Ｄｅｃｉｍａｌの頭文字「Ｄ」を末尾に付け「３０Ｄ」、１６進数を表現する場合には、Ｈｅｘａｄｅｃｉｍａｌの頭文字「Ｈ」を付け「１ＥＨ」と表現することとする。
【００４０】
尚、主制御基板４１及びサブ統合基板５８の制御を行っている制御プログラムでは、簡単のためにコマンドを１６進数で示し、実際に主制御基板４１からサブ統合基板５８に送信する際に２進数に変換して、ケーブル８５ａ及び「１」となるケーブル８５ｂ〜８５ｉに電圧をかけてビットデータを送信している。そして、サブ統合基板５８では、ケーブル８５ａが「１」となっている場合に、ケーブル８５ｂ〜８５ｉで示している２進数を１６進数に変換して、コマンドを解析している。
【００４１】
ここで、主制御基板４１からサブ統合基板５８へ送信されるコマンドの例を以下に挙げる。特別図柄作動保留コマンドは、特別図柄作動保留球数を示すコマンドであり、例えば特別図柄作動保留球数が１個であれば「１１Ｈ」、２個であれば「１２Ｈ」、３個であれば「１３Ｈ」、４個であれば「１４Ｈ」である。普通図柄作動保留コマンドは、普通図柄作動保留球数を示すコマンドであり、例えば普通図柄作動保留球数が１個であれば「１ＡＨ」、２個であれば「１ＢＨ」、３個であれば「１ＣＨ」、４個であれば「１ＤＨ」である。また、全図柄停止コマンドは、特別図柄表示部Ｌ１〜Ｌ３の図柄を停止するコマンドであり、「８０Ｈ」である。これらのコマンドは、パチンコ機１の遊技を制御するためのコマンドであり、本発明の「指示信号」に該当する。尚、指示信号は、例示したコマンドのみではなく、各パチンコ機１の遊技内容で必要な種々のコマンドも該当する。
【００４２】
次に、本発明の要部である確認信号に該当する第１確認コマンド、第２確認コマンド、第３確認コマンドについて説明する。第１確認コマンドは「００Ｈ」、第２確認コマンドは「ＦＥＨ」、第３確認コマンドは「０１Ｈ」である。主制御基板４１のＣＰＵ５１は、起動時にＲＡＭ５２やＲＯＭ５３等の動作確認等の初期処理を終えた後に、第１確認コマンド、第２確認コマンド、第３確認コマンドの順で続けてコマンドを送信する（確認コマンド送信処理）。そして、サブ統合基板５８では、起動時にＲＡＭ５８２やＲＯＭ５８３等の動作確認等の初期処理を終えた後に、主制御基板４１から第１確認コマンド、第２確認コマンド、第３確認コマンドが順に送信されてくるか否かのチェックが実施され、これらのコマンドを受信できなかった場合には、主制御基板４１と正常に接続できていないと判断し、音基板４３へ異常メッセージを出力させるコマンドを送信する。そして、音基板４３では、コマンドに従いスピーカ４８から「サブ統合基板が正常に接続していません！」等の主制御基板４１にサブ統合基板５８が正常に接続できていない旨を示す異常メッセージを発生させる。
【００４３】
尚、第１確認コマンド「００Ｈ」は、「００００００００Ｂ」でありすべてのケーブル８５ｂ〜８５ｉのビットデータが「０」を示している。どのケーブル８５ｂ〜８５ｉにも電圧がかけられていないことを示している。したがって、ケーブル８５ｂ〜８５ｉ全てが接続できなかったとしても、第２確認コマンドの判断が行われることになる。
【００４４】
第２確認コマンド「ＦＥＨ」は「１１１１１１１０Ｂ」であり、第３確認コマンド「０１Ｈ」は「０００００００１Ｂ」である。すなわち、第３確認コマンドは第２確認コマンドの反転信号である。例えば、ケーブル８５ｂについて考える。第２確認コマンドでは、ケーブル８５ｂのビットデータは「０」である。しかし、第２確認コマンドの２の０乗の位はもともと「０」であるので、サブ統合基板５８は、正常に接続していても、断線していても「ＦＥＨ」に変換するので断線を検知できない。しかしながら、第３確認コマンドの２の０乗の位は「１」であるので、正常に接続している場合には、「０１Ｈ」と変換し、断線している場合には「００Ｈ」と変換するので、断線を検知することができる。つまり、反転信号である２種類のコマンドを使用することにより、必ず断線を検知することができる。
【００４５】
次に、図６及び図７を参照して、サブ統合基板５８で実施されるサブ統合基板処理について説明する。このサブ統合基板処理は、サブ統合基板５８に電源が投入されると開始され、主制御基板４１から送信されてくる種々の指示コマンドに従い、音基板４３、図柄表示基板４４、電飾基板４６に対して更に詳細な指示を与えるコマンドを送信する。また、主制御基板４１から連続して送信される３つの確認コマンドにより、主制御基板４１からのコマンドを受け取るためのハーネス８０が正常に接続されているか否かの判断が行われる。図６及び図７は、サブ統合基板５８のＣＰＵ５８１で実施されるサブ統合基板処理のフローチャートである。
【００４６】
尚、このサブ統合基板処理では、判断フラグ及び確認フラグの２つのフラグを使用する。判断フラグは、サブ統合基板５８のＲＡＭ５８２に記憶され、確認コマンドによる主制御基板４１との接続の状況が記憶される。接続の判断が実施されていない場合には「０」、接続が正常に行われている場合には「１」、接続が異常である場合には「２」が記憶されている。また、確認フラグは確認コマンドによる確認判断において、いずれの確認コマンドの判断も行われていない場合には「０」、第１確認コマンドの判断が終了している場合には「１」、第２確認コマンドの判断も終了している場合には「２」、第３確認コマンドの判断も終了している場合には「３」が記憶されている。
【００４７】
まず、ＲＡＭ５８２やＲＯＭ５８３等の動作確認等の初期処理が実施される（Ｓ１１）。そして、判断フラグ及び確認フラグに初期値の「０」が記憶される（Ｓ１２）。次いで、ケーブル８５ａのビットデータが「１」であり、ストローク信号が送られてきているか否かの判断が行われる（Ｓ１３）。「１」である場合には（Ｓ１３：ＹＥＳ）、主制御基板４１からコマンドが送信されてきていることを示しているので、ケーブル８５ｂ〜８５ｉのビットデータが１６進数に変換される（Ｓ１４）。尚、ケーブル８５ａのビットデータが「１」でなく、ストローク信号が送られてきていない場合には（Ｓ１３：ＮＯ）、繰り返し、ケーブル８５ａのビットデータのチェックが行われる（Ｓ１３）。
【００４８】
主制御基板４１及びサブ統合基板５８が正常に稼動している場合、まず、主制御基板４１から第１確認コマンド「００Ｈ」が送信されてくる。すると、サブ統合基板処理では、ケーブル８５ａのビットデータの「１」を検知し（Ｓ１３：ＹＥＳ）、ストローク信号が送られてきていると判断して、ケーブル８５ｂ〜８５ｉのビットデータが１６進数に変換される（Ｓ１４）。この時、判断フラグは初期値の「０」のままであるので、判断フラグは「１」でないと判断され（Ｓ１５：ＮＯ）、確認フラグも初期値の「０」のままであるので、確認フラグは「１」でなく（Ｓ１６：ＮＯ）、「２」でもないと判断される（Ｓ２１：ＮＯ）。そして、第１確認コマンド「００Ｈ」であるので（Ｓ２８：ＹＥＳ）、確認フラグに第１確認コマンドの判断が終了したことを示す「１」が記憶される（Ｓ２９）。そして、Ｓ１３へ戻り、ケーブル８５ａのビットデータが「１」であり、ストローク信号が送られてきているか否かにより、次のコマンドが送信されたか否かの判断が行われる（Ｓ１３）。
【００４９】
次いで、主制御基板４１から第２確認コマンド「ＦＥＨ」が送信されてくると、ケーブル８５ａのビットデータの「１」を検知し（Ｓ１３：ＹＥＳ）、ストローク信号が送られてきていると判断して、ケーブル８５ｂ〜８５ｉのビットデータが１６進数に変換される（Ｓ１４）。この時、判断フラグはまだ初期値の「０」のままであるので、判断フラグは「１」でないと判断される（Ｓ１５：ＮＯ）。そして、確認フラグは「１」となっているので、確認フラグは「１」であると判断される（Ｓ１６：ＹＥＳ）。そして、第２確認コマンド「ＦＥＨ」であるので（Ｓ１７：ＹＥＳ）、確認フラグに第２確認コマンドの判断が終了したことを示す「２」が記憶され（Ｓ２０）、Ｓ１３へ戻る。尚、ここで、受信したコマンドが第２確認コマンド「ＦＥＨ」でなかった場合には（Ｓ１７：ＮＯ）、音基板４３へ異常報知を指示するためのコマンドが送信され（Ｓ１８）、判断フラグに接続が異常である旨を示す「２」が記憶される（Ｓ１９）。次いで、確認フラグに第２確認コマンドの判断が終了したことを示す「２」が記憶され（Ｓ２０）、Ｓ１３へ戻る。
【００５０】
次いで、主制御基板４１から第３確認コマンド「０１Ｈ」が送信されてくると、ケーブル８５ａのビットデータの「１」を検知し（Ｓ１３：ＹＥＳ）、ストローク信号が送られてきていると判断して、ケーブル８５ｂ〜８５ｉのビットデータが１６進数に変換される（Ｓ１４）。この時、判断フラグはまだ初期値の「０」のままであるので、判断フラグは「１」でないと判断される（Ｓ１５：ＮＯ）。そして、確認フラグは「２」となっているので、確認フラグは「１」でなく（Ｓ１６：ＮＯ）、確認フラグは「２」であると判断される（Ｓ２１：ＹＥＳ）。そして、第３確認コマンド「０１Ｈ」であるので（Ｓ２２：ＹＥＳ）、判断フラグが「２」であるか否かの判断が行われる（Ｓ２３）。判断フラグが「２」でなければ（Ｓ２３：ＮＯ）、第１確認コマンド、第２確認コマンド、第３確認コマンドすべてのコマンドが正常と判断されているので、判断フラグに接続が正常である旨を示す「１」が記憶される（Ｓ２４）。尚、第２確認コマンドの判断においてコマンドが正しくないと判断されており（Ｓ１７：ＮＯ）、判断フラグが「２」である場合には（Ｓ２３：ＹＥＳ）、既に異常と判断されているので、判断フラグに「１」を記憶することは行わない。また、受信したコマンドが第３確認コマンド「０１Ｈ」でなかった場合には（Ｓ２２：ＮＯ）、音基板４３へ異常報知を指示するためのコマンドが送信され（Ｓ２５）、判断フラグに接続が異常である旨を示す「２」が記憶される（Ｓ２６）。次いで、第３確認フラグの判断が終了したことを示す「３」が確認フラグに記憶され（Ｓ２７）、Ｓ１３へ戻る。
【００５１】
この時点で、主制御基板４１から送信された第１確認コマンド、第２確認コマンド、第３確認コマンドすべてのコマンドの判断が終了しており、接続が正常である場合には判断フラグに「１」が記憶され、接続が異常である場合には「２」が記憶されている。また、確認フラグには「３」が記憶されている。
【００５２】
次いで、主制御基板４１から何らかの指示コマンドが送信されると、ケーブル８５ａのビットデータの「１」を検知し（Ｓ１３：ＹＥＳ）、ストローク信号が送られてきていると判断して、ケーブル８５ｂ〜８５ｉのビットデータが１６進数に変換される（Ｓ１４）。この際に、接続が正常（判断フラグ「１」）である場合には（Ｓ１５：ＹＥＳ）、図７に示すＳ３１へ進む。そして、確認コマンドではないので（Ｓ３１：ＮＯ）、正常な指示コマンドであるか否かの判断が行われ（Ｓ３２）、正常な指示コマンドである場合には（Ｓ３２：ＹＥＳ）、判断フラグが「０」であるか否かの判断が行われる（Ｓ３３）。判断フラグは「１」であり「０」でないので（Ｓ３３：ＮＯ）、何もせずに、受信した指示コマンドに対応した処理が行われる（Ｓ３５）。そして、各指示コマンドに対する処理が終了したら、Ｓ１３へ戻り、ケーブル８５ａのビットデータの「１」を検知し、次の指示コマンドを受信するまで、Ｓ１３の判断を繰り返す。
【００５３】
このようにして、サブ統合基板処理では、起動後に主制御基板４１から順次送信されてくる第１確認コマンド、第２確認コマンド、第３確認コマンドにより、主制御基板４１とサブ統合基板５８との接続判断が行われ、接続が正常であった場合には、その後、遊技進行に従って主制御基板４１から送信されてくる指示コマンドに従った処理が実施される。
【００５４】
ここで、通常でない状況が発生した場合について述べる。まず、判断フラグに「０」が記憶されており、第１確認コマンド、第２確認コマンド、第３確認コマンドの判断が行われていない際に、指示コマンドを受信した場合について説明する。例えば、主制御基板４１が起動し、第１確認コマンドを送信した時点で、サブ統合基板５８がまだ起動しておらず、その確認マンドを認識できなかったようなトラブルがあった場合や、サブ統合基板のみリセットされ再起動された場合である。この場合には、判断フラグ、確認フラグ共に初期値の「０」が記憶されている。このような場合には、確認コマンドの判断が終了していないにもかかわらず、指示コマンドを受信しているが、正常なコマンドを受信しているので、接続は正常であり確認コマンドの判断を行う必要がない。そこで、判断フラグに通信が正常であることを示す「１」が記憶される。
【００５５】
ケーブル８５ａのビットデータの「１」を検知し（Ｓ１３：ＹＥＳ）、ストローク信号が送られてきていると判断して、ケーブル８５ｂ〜８５ｉのビットデータが１６進数に変換されると（Ｓ１４）、判断フラグ、確認フラグ共に「０」であり、第１確認コマンド「００Ｈ」でもないので（Ｓ１５：ＮＯ、Ｓ１６：ＮＯ、Ｓ２１：ＮＯ、Ｓ２８：ＮＯ、Ｓ３０：ＮＯ、Ｓ３１：ＮＯ）、Ｓ３２へ進み、正常な指示コマンドであるか否かの判断が行われる。そして、正常な指示コマンドであれば（Ｓ３２：ＹＥＳ）、判断フラグは「０」であるので（Ｓ３３：ＹＥＳ）、判断フラグに「１」を記憶する（Ｓ３４）。そして、受信した指示コマンドに対応した処理が行われ（Ｓ３５）、Ｓ１３へ戻る。
【００５６】
次に、判断フラグに「１」が記憶されており、主制御基板４１とサブ統合基板５８との通信が正常であると判断されているにもかかわらず、主制御基板４１から確認コマンドが送信されてきた場合について説明する。例えば、主制御基板４１のみがリセットされ再起動された場合である。この場合には、判断フラグに「１」、確認フラグには「３」が記憶されている。この場合には、更に判断処理を行う必要はないので、その確認コマンドに対する処理は何も行わず、次のコマンドの受信を待機する。つまり、この確認コマンドは破棄される。
【００５７】
ケーブル８５ａのビットデータの「１」を検知し（Ｓ１３：ＹＥＳ）、ストローク信号が送られてきていると判断して、ケーブル８５ｂ〜８５ｉのビットデータが１６進数に変換されると（Ｓ１４）、判断フラグは「１」であるので（Ｓ１５：ＹＥＳ）、Ｓ３１へ進む。そして、受信したコマンドは確認コマンドであるので（Ｓ３１：ＹＥＳ）、何もせずにそのままＳ１３へ戻り、ケーブル８５ａのビットデータの「１」を検知し、次の指示コマンドを受信するまで、Ｓ１３の判断を繰り返す。
【００５８】
次に、接続が異常であると判断された後に、指示コマンドが送信されてきた場合について説明する。接続が異常であるので、サブ統合基板処理は、指示コマンドを受信しても正しい指示コマンドを認識することができない。したがって、この場合には受信した指示コマンドに対する処理は何も行わない。つまり、指示コマンドは破棄される。この場合には、判断フラグに「２」、確認フラグには「３」が記憶されている。
【００５９】
ケーブル８５ａのビットデータの「１」を検知し（Ｓ１３：ＹＥＳ）、ストローク信号が送られてきていると判断して、ケーブル８５ｂ〜８５ｉのビットデータが１６進数に変換されると（Ｓ１４）、判断フラグ「２」、確認フラグ「３」であり、第１確認コマンド「００Ｈ」でもないので（Ｓ１５：ＮＯ、Ｓ１６：ＮＯ、Ｓ２１：ＮＯ、Ｓ２８：ＮＯ）、Ｓ３０にて判断フラグが「２」であると判断され（Ｓ３０：ＹＥＳ）、何もせずにそのままＳ１３へ戻り、ケーブル８５ａのビットデータの「１」を検知し、次の指示コマンドを受信するまで、Ｓ１３の判断を繰り返す。
【００６０】
尚、本実施の形態では、スピーカ４８が報知手段に相当し、第２確認コマンド「ＦＥＨ」、即ち「１１１１１１１０Ｂ」が第１確認信号に相当し、第３確認コマンド「０１Ｈ」、即ち「０００００００１Ｂ」が  第２確認信号に相当する。また、確認コマンド送信処理を実施する主制御基板４１のＣＰＵ５１が信号送信手段として機能する。また、サブ統合基板５８のＲＡＭ５８２に記憶されている判断フラグが「判断結果記憶手段」として機能する。
【００６１】
また、サブ統合基板処理のＳ１３の処理を実施するサブ統合基板５８のＣＰＵ５８１が「信号受信手段」として機能し、Ｓ１７，Ｓ２２，Ｓ２８の処理を実施するＣＰＵ５８１が「判断手段」として機能し、Ｓ１８又はＳ２５の処理を実施するＣＰＵ５８１が「報知制御手段」として機能する。また、Ｓ３０の処理を実施するＣＰＵ５８１が「指示信号破棄手段」として機能する。また、Ｓ１５，Ｓ３１の処理を実施するＣＰＵ５８１「確認信号破棄手段」として機能する。また、Ｓ３２，Ｓ３３，Ｓ３４の処理を実行するＣＰＵ５８１が「正常記憶手段」として機能する。
【００６２】
尚、本発明は、上記実施の形態に限定されるものではなく、種々の変更が可能である。以下に、本発明を適用する実施の形態の変形例について説明する。まず、上記実施形態では遊技機として、遊技機の一種であるパチンコ機を例に挙げているが、遊技機はパチンコ機に限られず、パチコン機、パチスロ台等の各種の遊技機に適用可能である。
【００６３】
また、上記実施の形態では、確認信号として第１確認コマンド「００Ｈ」、第２確認コマンド「ＦＥＨ」、第３確認コマンド「０１Ｈ」を使用したが、コマンドはこれに限らず、他の値であっても良い。また上記実施の形態では、１０本のケーブル（電線）で構成されたハーネス８０を使用したが、ケーブルの本数は１０本に限らず、それ以上であってもそれ以下であっても良い。また、上記実施の形態では、２進数を１６進数に変換してコマンドを１６進数で表現したが、コマンドの表現方法はこれに限らず、２進数のまま扱っても良いし、１０進数や文字であってもよい。
【００６４】
また、上記実施の形態では報知手段としてスピーカ４８を使用したが、音声による報知に限らず、遊技機の所定の場所に設けられたランプやＬＥＤを点灯させたり、点滅させたり、所定のパターンで点滅させたりしてもよい。さらには、遊技場を管理するホールコンピュータ等の管理端末に異常データを送信するようにしてもよい。
【産業上の利用可能性】
【００６５】
本発明の遊技機はパチンコ機に限られず、パチコン機、パチスロ機等の各種の遊技機に適用可能である。
【図面の簡単な説明】
【００６６】
【図１】パチンコ機１の正面図である。
【図２】パチンコ機１の背面図である。
【図３】パチンコ機１のセンターカバー９０に保護されている基板の配置図である。
【図４】パチンコ機１の電気的回路構成を示すブロック図である。
【図５】ハーネス８０の概観図である。
【図６】サブ統合基板５８のＣＰＵ５８１で実施されるサブ統合基板処理のフローチャートである。
【図７】サブ統合基板５８のＣＰＵ５８１で実施されるサブ統合基板処理のフローチャートであり、図６の続きである。
【符号の説明】
【００６７】
１  パチンコ機
４１  主制御基板
４３  音基板
４４  図柄表示基板
４５  払出制御基板
４６  電飾基板
４８  スピーカ
５８  サブ統合基板
８０  ハーネス
８５ａ  ケーブル
８５ｂ  ケーブル
８５ｃ  ケーブル
８５ｄ  ケーブル
８５ｅ  ケーブル
８５ｆ  ケーブル
８５ｇ  ケーブル
８５ｈ  ケーブル
８５ｉ  ケーブル
８５ｊ  ケーブル
５１  ＣＰＵ
５８１  ＣＰＵ
５８２  ＲＡＭ
【図１】
2005074178.tif 000003
【図２】
2005074178.tif 000004
【図３】
2005074178.tif 000005
【図４】
2005074178.tif 000006
【図５】
2005074178.tif 000007
【図６】
2005074178.tif 000008
【図７】
2005074178.tif 000009